(57)【要約】【課題】調整用のワッシャがボス上部から落下したり、ボスのネジ孔との位置ズレを防止することを可能にした、撮像素子の傾きや距離の調整構造を提供すること。【解決手段】雌ネジが形成されたボス部を有するカメラ筐体と、撮像素子を保持し、ネジを挿通する貫通孔が設けられた板とを備え、該カメラ筐体と該板とでワッシャを間に挟み込んでネジで締結し、カメラマウント面に対し、撮像素子の傾きや、距離を調整する構造において、中空形状であり、中空形状の内径が、該ボス部の外径と、該ワッシャとの外径よりも大きく、該ボス部の高さと該ワッシャの厚みを加算した値よりも大きな厚みを有する弾性部材であり、該カメラ筐体と該板とをネジで締結する時、該弾性部材を該カメラ筐体のボス部に挿入し、該ワッシャを該カメラ筐体と該板との間に挟み込むことを特徴とする構成とした。【選択図】図１
2017098727.tif 000002
【特許請求の範囲】
【請求項１】
雌ネジが形成されたボス部を有するカメラ筐体と、
撮像素子を保持し、ネジを挿通する貫通孔が設けられた板とを備え、
該カメラ筐体と該板とでワッシャを間に挟み込んでネジで締結し、カメラマウント面に対し、撮像素子の傾きや、距離を調整する構造において、
中空形状であり、
中空形状の内径が、該ボス部の外径と、該ワッシャとの外径よりも大きく、
該ボス部の高さと該ワッシャの厚みを加算した値よりも大きな厚みを有する弾性部材であり、
該カメラ筐体と該板とをネジで締結する時、
該弾性部材を該カメラ筐体のボス部に挿入し、該ワッシャを該カメラ筐体と該板との間に挟み込むことを特徴とする撮像装置。
【請求項２】
前記弾性部材に、中空形状の中空部と同心軸上の、前記ワッシャの外径より大きい座グリ穴部が設けられ、前記ワッシャをザグリ穴部に設けること特徴とする請求項１に記載の撮像装置。
【請求項３】
前記弾性部材の上部が一部切り欠かれていることを特徴とする請求項１又は請求項２に記載の撮像装置。
【請求項４】
前記弾性部材の断面形状は、Cの字状またはUの字状であることを特徴とする請求項１又は請求項２に記載の撮像装置。
【請求項５】
前記弾性部材は、円筒形状であることを特徴とする請求項１乃至請求項３の何れか一項に記載の撮像装置。
【請求項６】
前記弾性部材の材質は、スポンジやゴムあるいはバネであることを特徴とする請求項１乃至請求項５の何れか一項に記載の撮像装置。 
【発明の詳細な説明】
【技術分野】
【０００１】
本発明は、撮像装置に関し、特に撮像装置内の撮像素子の傾き調整や距離を調整する構造に関する。
【背景技術】
【０００２】
従来、カメラなどの撮像装置内の撮像素子の傾きや距離を、カメラのマウント面に対して調整する構造において、カメラ筐体側に、撮像素子を把持した板金を固定するためのボスが形成され、板金と筐体との間に調整用のワッシャを挟み込む構造が知られている。
【０００３】
しかしながら、調整用のワッシャは、ボス上部では固定されていないため、板金で挟み込む際に、ボスから落下したり、位置がずれてしまったりして、作業性が低い。そこで以下のような技術が提案されている。
【０００４】
特許文献１では、ボスのネジ孔周囲に筒状のリブを立て、ワッシャをリブに嵌め込むことで、ワッシャがボスから落下することを防止する構造が開示されている。
【先行技術文献】
【特許文献】
【０００５】
【特許文献１】特開平４−７７０７１号公報
【発明の概要】
【発明が解決しようとする課題】
【０００６】
しかしながら、上述の特許文献１に開示された従来技術では、ワッシャを嵌め込むための専用のリブを筐体側に設けなければならない。また調整用のワッシャの抜き差しを行う際に、リブに嵌め込まれた全ての部材を、リブから外す必要があり作業性が低い。
【０００７】
そこで、本発明の目的は、調整用のワッシャがボス上部から落下したり、ボスのネジ孔との位置ズレを防止することを可能にした、撮像素子の傾きや距離の調整構造を提供することにある。
【課題を解決するための手段】
【０００８】
上記の目的を達成するために、本発明に係る撮像装置は、
雌ネジが形成されたボス部を有するカメラ筐体と、撮像素子を保持し、ネジを挿通する貫通孔が設けられた板とを備え、該カメラ筐体と該板とでワッシャを間に挟み込んでネジで締結し、カメラマウント面に対し、撮像素子の傾きや、距離を調整する構造において、中空形状であり、中空形状の内径が、該ボス部の外径と、該ワッシャとの外径よりも大きく、該ボス部の高さと該ワッシャの厚みを加算した値よりも大きな厚みを有する弾性部材であり、該カメラ筐体と該板とをネジで締結する時、該弾性部材を該カメラ筐体のボス部に挿入し、該ワッシャを該カメラ筐体と該板との間に挟み込むことを特徴とする。
【発明の効果】
【０００９】
本発明に係る撮像装置によれば、調整用のワッシャがボス上部から落下したり、ボスのネジ孔との位置ズレを防止することを可能にした、撮像素子の傾きや距離の調整構造を提供することができる。
【図面の簡単な説明】
【００１０】
【図１】本発明の第１の実施例に係る、撮像素子３の傾き調整構造を備えた撮像装置の斜視図
【図２】本発明の第１の実施例に係る、撮像素子３の傾き調整構造を備えた撮像装置の分解斜視図
【図３】板金２をカメラ筐体１に取付け前状態における、図１の矢印Ａ方向より見た弾性体１０１部分の断面図
【図４】板金２をカメラ筐体１に取付け後状態における、図１の矢印Ａ方向より見た弾性体１０１部分の断面図
【図５】座グリ１０２Ａを設けた弾性体１０２とワッシャ６の断面図
【図６】切り欠き１０３Ａを設けた弾性体１０３を表す斜視図
【図７】切り欠き１０４Ａを設けた弾性体１０４を表す斜視図
【図８】切れ目１０５Ａを設けた弾性体１０５を表す斜視図
【発明を実施するための形態】
【００１１】
以下に、本発明の好ましい実施の形態を、添付の図面に基づいて詳細に説明する。
【００１２】
［実施例１］
以下、図１から図４を参照して、本発明の第１の実施例による、撮像素子の傾き調整構造について説明する。
【００１３】
図１は本発明の実施形態に係る、撮像素子の傾き調整構造を備えた撮像装置の斜視図、図２はその分解斜視図である。
【００１４】
撮像素子３は板金２にネジ５によって固定され、さらに板金２はカメラ筐体１へ、ネジ４によって固定されている。カメラ筐体１には、ネジ孔１Ａを備えるボス１Ｂが形成されている。撮像素子３を固定する板金２は、ネジ４を挿通するための貫通孔２Ａが形成されていて、ネジ４を貫通孔２Ａに挿通し、ネジ孔１Ａに締結することで、板金２をカメラ筐体１に固定する。
【００１５】
カメラ筐体１と、板金２の間には、傾き調整用のワッシャ６と、スポンジやゴム、バネなどの弾性部材で形成された弾性体１０１とが挟みこまれている。このワッシャ６の厚さや、枚数を変更することで、不図示のレンズマウント面に対して、撮像素子３を固定している板金２の傾きや、距離を調整する。
【００１６】
次に弾性体１０１の機能について説明する。
【００１７】
図３、図４は図１に示す矢印Ａの方向から見た、弾性体１０１部分の断面図である。図３は板金２をカメラ筐体１へ取付ける前、図４は取付けた後の状態である。
【００１８】
弾性体１０１の内径１０１Ａは、ボス１Ｂやワッシャ６の外径よりも大きく、また厚み１０１Ｈは、ボス１Ｂの高さと、ワッシャ６の厚みを加算した値６Ｈと、１０１Ｈ≧６Ｈという関係となる。板金２取付け前は、弾性体１０１は、ボス１Ｂに嵌め込まれ、ボス１Ｂの上部に置かれたワッシャ６の位置ズレを規制する。板金２取付け後は、弾性体１０１は変形し、ネジ孔１Ａの軸方向へと付勢される。
【００１９】
このように本実施例において、スポンジやゴム、バネなどの弾性体で形成された弾性体１０１を用いることで、板金２をカメラ筐体１へ取付け時に、ボス１Ｂの上部に置かれたワッシャ６の位置ズレを規制する構成とした。本実施形態の効果として、撮像素子３の傾き調整用のワッシャ６を板金２とカメラ筐体１の間に組み込む作業時に、ボス１Ｂの上部よりワッシャ６が落下することや、またワッシャ６と、ネジ孔１Ａとの軸ズレを引き起こすことを防止し、作業性を向上させる。
【００２０】
［その他の実施例］
実施例１で説明した弾性体１０１は、図５で示される弾性体１０２のように、座グリ穴１０２Ａを設けてもよい。座グリ１０２Ａを設けることで、弾性体１０２をボス１Ｂへ嵌め込む際に、座グリ１０２Ａにワッシャ６を設置した状態で、嵌め込むことが可能となり作業性がより向上する。
【００２１】
また図６で示される弾性体１０３のように切り欠き１０３Ａを設けてもよい。切り欠き１０３Ａを設けることで、弾性体１０３とワッシャ６がボス１Ｂに嵌め込まれた状態の時に、横からピンセット等でワッシャ６を取り外すことが容易となる。
【００２２】
図７は弾性体１０４に、形状が半月状となるよう切り欠き１０４Ａを設けた構成を示す。
【００２３】
切り欠き１０４Ａを設けることで、板金２をカメラ筐体１へ取付け後に、弾性体１０４をボス１Ｂより取り外すことが可能となり、弾性体１０４を再利用出来る。同様の効果を得るために、図８で示すように切り欠きではなく、切れ目１０５Ａとしてもよい。
【００２４】
また実施例１においては、弾性体１０１の形状を円筒形としたが、ボス１Ｂの形状に合わせて、四角柱や三角柱など様々な形状をとることが可能であり、同様の効果が得られる。また弾性体１０１の材質をゴムやスポンジとしたが、同様の性質を持つ材料であれば同様の効果が得られるため、これに限定されるものではない。
【００２５】
以上、本発明の好ましい実施形態について説明したが、本発明はこれらの実施形態に限定されず、その要旨の範囲内で種々の変形及び変更が可能である。
【符号の説明】
【００２６】
１  カメラ筐体、１Ａ  ネジ孔、１Ｂ  ボス、２  板金、３  撮像素子、４  ネジ、
５  ネジ、６  ワッシャ、１０１  弾性体
【図１】
2017098727.tif 000003
【図２】
2017098727.tif 000004
【図３】
2017098727.tif 000005
【図４】
2017098727.tif 000006
【図５】
2017098727.tif 000007
【図６】
2017098727.tif 000008
【図７】
2017098727.tif 000009
【図８】
2017098727.tif 000010